(57)【要約】【課題】  有線接続されるルータに接続制限がある場合でも、通信端末を用いて有線ＬＡＮの通信設定等を実施することができる中継装置を提供する。【解決手段】  温水利用設備（例えば給湯器１）と通信を行うとともに、ルータ３を介して管理サーバ５と通信を行うための中継装置２であって、ルータ３との間で有線通信を行うための有線ＬＡＮ通信部２２と、外部の通信端末６との間で無線通信を行うための無線ＬＡＮ通信部２３と、を備え、無線ＬＡＮ通信部２３が通信端末６から有線ＬＡＮの通信設定の要求を受信すると、要求に基づいて有線ＬＡＮ通信部２２がルータ３と有線通信を行うための通信設定を実施するよう構成されている。【選択図】  図１
2019080185.tif 000002
【特許請求の範囲】
【請求項１】
温水利用設備と通信を行うとともに、ルータを介して管理サーバと通信を行うための中継装置であって、
前記ルータとの間で有線通信を行うための有線ＬＡＮ通信部と、
外部の通信端末との間で無線通信を行うための無線ＬＡＮ通信部と、
を備え、
前記無線ＬＡＮ通信部が前記通信端末から有線ＬＡＮの通信設定の要求を受信すると、前記要求に基づいて前記有線ＬＡＮ通信部が前記ルータと有線通信を行うための通信設定を実施するよう構成された、
中継装置。
【請求項２】
前記温水利用設備との間の通信状態が正常であるか否かを判定する第１判定部と、
前記管理サーバとの間の通信状態が正常であるか否かを判定する第２判定部と、
をさらに備え、
前記無線ＬＡＮ通信部が前記通信端末から前記第１判定部または前記第２判定部による判定結果の要求を受信すると、前記要求された判定結果を前記無線ＬＡＮ通信部から前記通信端末へ送信するよう構成された、
請求項１に記載の中継装置。
【請求項３】
前記無線ＬＡＮ通信部は、前記通信端末と無線通信を行う際、無線ＬＡＮアクセスポイントとして機能するよう構成された、
請求項１または２に記載の中継装置。
【発明の詳細な説明】
【技術分野】
【０００１】
本発明は、温水利用設備と管理サーバとの間の通信を中継する中継装置に関する。
【背景技術】
【０００２】
通信機器には、通信を行うための設定が必要である。例えば、特許文献１には、無線ＬＡＮによる通信を行う無線装置であって、アクセスポイントモードおよびステーションモードの何れか一方の動作モードで通信を行う無線通信部と、無線通信部が無線通信を行うための設定を行う通信設定部と、を備え、通信設定部は、無線通信部の動作モードをアクセスポイントモードに設定した上で、ステーションモードで動作する端末装置から、設定情報を取得し、取得した設定情報に基づき、無線通信部がステーションモードによって通信を行うための設定を行う、無線装置が記載されている。
【先行技術文献】
【特許文献】
【０００３】
【特許文献１】特開２０１５−１０３９９０号公報
【発明の概要】
【発明が解決しようとする課題】
【０００４】
ところで、従来、給湯器等の温水利用設備の遠隔監視を行うシステムとして、例えば、温水利用設備の動作状態等の情報が、温水利用設備に接続された中継装置から、ユーザ所有のルータを介してインターネット等の通信ネットワークに接続された管理サーバへ送信されるものがある。
【０００５】
ここで、中継装置がユーザ所有のルータと有線ＬＡＮによって接続される場合において、作業員が中継装置の有線ＬＡＮの通信設定を行ったり、中継装置の通信状態の確認を行う際には、作業用通信端末をユーザ所有のルータと有線ＬＡＮによって接続するようにしていた。しかしながら、ユーザの設定した有線ＬＡＮの運用ルールによってルータに接続制限がある場合に、作業用通信端末をルータに接続できない場合があり、この場合、中継装置に対して有線ＬＡＮの通信設定や中継装置の通信状態の確認の作業ができなくなるという問題がある。
【０００６】
本発明は上記のような課題を解決するためになされたもので、有線接続されるルータに接続制限がある場合でも、通信端末を用いて有線ＬＡＮの通信設定等を実施することができる中継装置を提供することを目的としている。
【課題を解決するための手段】
【０００７】
上記目的を達成するために、本発明のある態様に係る中継装置は、温水利用設備と通信を行うとともに、ルータを介して管理サーバと通信を行うための中継装置であって、前記ルータとの間で有線通信を行うための有線ＬＡＮ通信部と、外部の通信端末との間で無線通信を行うための無線ＬＡＮ通信部と、備え、前記無線ＬＡＮ通信部が前記通信端末から有線ＬＡＮの通信設定の要求を受信すると、前記要求に基づいて前記有線ＬＡＮ通信部が前記ルータと有線通信を行うための通信設定を実施するよう構成されている。
【０００８】
この構成によれば、ルータに接続される有線ＬＡＮ通信部の他に、外部の通信端末と無線通信するための無線ＬＡＮ通信部を備えている。そして、作業員は通信端末を操作して、通信端末からの無線通信によって無線ＬＡＮ通信部を介して有線ＬＡＮ通信部に、ルータと有線通信を行うための通信設定を実施することができる。よって、中継装置が有線接続されるルータに接続制限がある場合でも、通信端末が無線ＬＡＮ通信部と無線通信を行うことにより、有線ＬＡＮの通信設定を実施することができる。
【０００９】
前記温水利用設備との間の通信状態が正常であるか否かを判定する第１判定部と、前記管理サーバとの間の通信状態が正常であるか否かを判定する第２判定部と、をさらに備え、前記無線ＬＡＮ通信部が前記通信端末から前記第１判定部または前記第２判定部による判定結果の要求を受信すると、前記要求された判定結果を前記無線ＬＡＮ通信部から前記通信端末へ送信するよう構成されていてもよい。
【００１０】
この構成によれば、作業員は通信端末を操作して、無線ＬＡＮ通信部を介して、温水利用設備との間の通信状態の判定結果、及び、管理サーバとの間の通信状態の判定結果を通信端末で取得することができる。よって、中継装置が有線接続されるルータに接続制限がある場合でも、中継装置と温水利用設備，管理サーバとの間の通信状態の確認作業を実施することができる。
【００１１】
前記無線ＬＡＮ通信部は、前記通信端末と無線通信を行う際、無線ＬＡＮアクセスポイントとして機能するよう構成されていてもよい。
【発明の効果】
【００１２】
本発明は、以上に説明した構成を有し、有線接続されるルータに接続制限がある場合でも、通信端末を用いて有線ＬＡＮの通信設定等を実施することができる中継装置を提供することができるという効果を奏する。
【図面の簡単な説明】
【００１３】
【図１】図１は、本発明の実施形態の一例の中継装置を含む通信システムの概略構成図である。
【図２】図２は、中継装置にルータとの間の有線ＬＡＮの通信設定を行う場合の手順の一例を示すフローチャートである。
【図３】図３は、通信端末の表示部に表示される有線ＬＡＮの通信設定画面の一例を示す図である。
【図４】図４は、通信端末の表示部に表示される通信状態表示画面の一例を示す図である。
【発明を実施するための形態】
【００１４】
以下、好ましい実施の形態を、図面を参照しながら説明する。なお、以下では全ての図面を通じて同一又は相当する要素には同一の参照符号を付して、その重複する説明を省略する。また、本発明は、以下の実施形態に限定されない。
【００１５】
（実施形態）
図１は、本発明の実施形態の一例の中継装置を含む通信システムの概略構成図である。
この通信システムは、温水利用設備の一例である給湯器１（例えば、燃焼加熱式の給湯器）と、給湯器１に内蔵されているコントローラ１ａと通信可能に接続された給湯器専用の中継装置２と、インターネット等の通信網４に接続されたコンピュータからなる管理サーバ５とを備えている。管理サーバ５は、通信網４及びこの通信網４に接続されたルータ３を介して中継装置２と通信を行う。ルータ３は、給湯器１が設置されている住宅の入居者（給湯器１のユーザ）が所有しているものである。
【００１６】
また、通信端末６は、作業員用の端末であり、ノートパソコン、スマートフォン、または、タブレット等を用いることができる。
【００１７】
給湯器１は、住宅の屋外または屋内の所定の場所に設置され、台所や浴槽等に湯水を供給する給湯機能等を備えている。給湯器１は、例えば、燃焼加熱式の給湯器（熱源機）であり、熱交換器、ガスまたは灯油を燃料として熱交換器を加熱する燃焼装置、熱交換器等に接続され湯水の流路となる配管、燃料配管、各種センサ及びコントローラ１ａなどが筺体内に収納されて構成されている。コントローラ１ａは、例えば、ＣＰＵ及びメモリ（ＲＡＭ及びＲＯＭ等）を有するマイクロコントローラ等によって構成され、給湯器１全体の動作を制御する。
【００１８】
中継装置２は、通信線となる２芯ケーブルＣ１によって給湯器１のコントローラ１ａと接続されている。これにより、２芯ケーブルＣ１を介して中継装置２と給湯器１のコントローラ１ａとの間で相互に通信（双方向通信）が行われる。また、中継装置２は、ルータ３とＬＡＮケーブルＬ１で接続され、有線ＬＡＮの通信設定が行われると、ルータ３との間で有線ＬＡＮによる通信が可能である。
【００１９】
すなわち、中継装置２は、給湯器１のコントローラ１ａとの間の通信処理を実行するとともに、ルータ３及び通信網４を介して行う管理サーバ５との間の通信処理を実行する。例えば、中継装置２は、給湯器１のコントローラ１ａから送信されてきた機器情報を、通信形式を変換してルータ３及び通信網４を介して管理サーバ５へ送信する。また、管理サーバ５から通信網４及びルータ３を介して送信されてきた情報を、通信形式を変換して給湯器１のコントローラ１ａへ送信する。
【００２０】
ここで、給湯器１のコントローラ１ａから中継装置２を介して管理サーバ５へ送信される機器情報としては、給湯器１のコントローラ１ａから電源投入後に最初に送信される機器構成情報、給湯器１のコントローラ１ａから定期的（例えば１時間間隔）に送信される給湯器１の運転状態を示す運転状態情報、エラー情報等がある。ここで、機器構成情報は、給湯器１の種類等を示す情報であり、運転状態情報は、給湯器１の給湯設定温度、燃焼運転回数、燃焼運転時間等を含む情報である。エラー情報は、給湯器１に何らかの異常が発生したときに、その異常を示す情報である。
【００２１】
また、中継装置２は、管理サーバ５との最後（直近）の通信が終了してから、一定時間（例えば、３分）が経過すると、管理サーバ５に対して定期的な通信（いわゆる、ハートビート通信）を行うよう構成されている。
【００２２】
管理サーバ５は、給湯器１のコントローラ１ａから中継装置２等を介して送信されてくる機器情報を記憶する記憶部を備えている。なお、管理サーバ５は、通信網４に接続された複数のコンピュータで構成されていてもよい。
【００２３】
次に、中継装置２について詳しく説明する。中継装置２は、例えば、制御部２０、通信部２１、有線ＬＡＮ通信部２２、無線ＬＡＮ通信部２３及びＡＰスイッチ２４等を備えている。制御部２０は、例えば、ＣＰＵ及びメモリ（ＲＡＭ及びＲＯＭ等）を有するマイクロコントローラ等によって構成され、中継装置２全体の動作を制御する。
【００２４】
通信部２１は、２芯ケーブルＣ１を介して給湯器１のコントローラ１ａとの間で通信を行うための通信処理を行う。
【００２５】
有線ＬＡＮ通信部２２は、ルータ３とＬＡＮケーブルＬ１で接続されており、ルータ３及び通信網４を介して管理サーバ５と通信を行う。この際、有線ＬＡＮ通信部２２は、ルータ３との間で、例えばイーサネット（登録商標）規格に基づくＬＡＮ通信を行うための通信処理を行う。
【００２６】
制御部２０は、給湯器１のコントローラ１ａから送信され、通信部２１で受信した情報のうち管理サーバ５へ送信する情報を有線ＬＡＮ通信部２２から送信させる。また、制御部２０は、管理サーバ５から送信されて有線ＬＡＮ通信部２２で受信した情報のうちコントローラ１ａへ送信する情報を通信部２１から送信させる。
【００２７】
ＡＰスイッチ２４は、無線ＬＡＮアクセスポイントの機能をオンオフするためのスイッチである。例えば、作業員等によってＡＰスイッチ２４が押されると、制御部２０は、無線ＬＡＮ通信部２３を無線ＬＡＮアクセスポイントとして機能させる。このときに、通信端末６は、中継装置２と無線ＬＡＮ接続が可能になる。そして、無線ＬＡＮ通信部２３は、通信端末６との間で、無線ＬＡＮの規格に基づく無線通信を行うための通信処理を行う。
【００２８】
図２は、中継装置２にルータ３との間の有線ＬＡＮの通信設定を行う場合の手順の一例を示すフローチャートである。ここでは、例えば、中継装置２と給湯器１のコントローラ１ａとは２芯ケーブルＣ１で接続されており、中継装置２とルータ３とをＬＡＮケーブルＬ１で接続した後の手順について説明する。
【００２９】
まず、ステップＳ１では、作業員が中継装置２のＡＰスイッチ２４を押すことにより、制御部２０は、無線ＬＡＮ通信部２３を無線ＬＡＮアクセスポイントとして機能させる。
【００３０】
次に、ステップＳ２では、作業員が通信端末６を操作して通信端末６を中継装置２に接続する。具体的には、通信端末６の表示部の画面に表示されるアクセスポイントのリストから中継装置２を選択し、暗号化キーを入力する。
【００３１】
次に、ステップＳ３では、無線ＬＡＮ通信部２３は、上記のステップＳ２で通信端末６が接続されると、無線ＬＡＮ通信部２３は、ＤＨＣＰ機能によって通信端末６へＩＰアドレスを動的に割り当てる。すなわち、無線ＬＡＮ通信部２３がＤＨＣＰサーバとして機能し、通信端末６がＤＨＣＰクライアントとして機能する。
【００３２】
次に、ステップＳ４では、作業員は通信端末６を操作して無線ＬＡＮ通信部２３にアクセスし、通信端末６の表示部に有線ＬＡＮの通信設定画面を表示させる。具体的には、通信端末６のＷｅｂブラウザを利用して、
該当するＵＲＬ（例えば、「http://192.168.0.1/html/ipconf.html」）を入力することにより有線ＬＡＮの通信設定画面を表示させる。このとき、無線ＬＡＮ通信部２３は、Ｗｅｂサーバとして機能する。
【００３３】
図３は、通信端末６の表示部（ディスプレイ）６１に表示される有線ＬＡＮの通信設定画面の一例を示す図である。
【００３４】
作業員は、図３の通信設定画面において、「ＩＰアドレスを自動的に取得する」と「次のＩＰアドレスを使う」とのいずれかを選択することができる。図３では、「ＩＰアドレスを自動的に取得する」が選択されている状態である。この状態で、設定ボタンＢ１をクリックすると、例えば自動設定指令情報（第１の有線ＬＡＮの通信設定の要求）が無線ＬＡＮ通信部２３へ送信される。そして、無線ＬＡＮ通信部２３から制御部２０を介して自動設定指令情報が有線ＬＡＮ通信部２２へ伝送される。有線ＬＡＮ通信部２２では、自動設定指令情報を受けると、ルータ３のＤＨＣＰ機能によって割り当てられるＩＰアドレス等の情報を取得し、記憶する。この際、ルータ３がＤＨＣＰサーバとして機能し、有線ＬＡＮ通信部２２がＤＨＣＰクライアントとして機能する。これによって、中継装置２における有線ＬＡＮの通信設定が完了する（図２のステップＳ５）。
【００３５】
また、ルータ３にＤＨＣＰ機能が無い場合には、図３の通信設定画面において、「次のＩＰアドレスを使う」を選択し、その下欄のＩＰアドレス等（ＩＰアドレス、サブネットマスク、デフォルトゲートウェイ、ＤＮＳサーバ）の情報を入力し、設定ボタンＢ１をクリックすると、入力されたＩＰアドレス等の情報を含む手動設定指令情報（第２の有線ＬＡＮの通信設定の要求）が無線ＬＡＮ通信部２３へ送信される。さらに、無線ＬＡＮ通信部２３から制御部２０を介して手動設定指令情報が有線ＬＡＮ通信部２２へ伝送される。有線ＬＡＮ通信部２２では、手動設定指令情報を受けると、その手動設定指令情報に含まれるＩＰアドレス等の情報を取得し、記憶する。これによって、中継装置２における有線ＬＡＮの通信設定が完了する（図２のステップＳ５）。
【００３６】
なお、ルータ３が交換された場合等でも、上記と同様にして有線ＬＡＮの通信設定（通信設定の変更）を行うことができる。
【００３７】
次に、中継装置２の通信状態等を確認する場合について説明する。作業員が中継装置２の通信状態等を確認したい場合には、例えば、ステップＳ３の後、通信端末６のＷｅｂブラウザを利用して、該当するＵＲＬ（例えば、「http://192.168.0.1/」）を入力することにより通信状態表示画面を表示させることができる。
【００３８】
図４は、通信端末６の表示部（ディスプレイ）６１に表示される通信状態表示画面の一例を示す図である。
【００３９】
図４の通信状態表示画面には、上欄に、中継装置２の現在の通信状態として、中継装置２と給湯器１との間の現在の通信状態と、中継装置２と管理サーバ５との間の現在の通信状態とが表示されている。図４の表示画面中の「給湯器  ＯＫ」は、中継装置２と給湯器１との間の通信状態が正常であることを示し、「サーバ  ＯＫ」は、中継装置２と管理サーバ５との間の通信状態が正常であることを示している。なお、通信状態が異常（通信不良）である場合には、「ＯＫ」の代わりに例えば「ＮＧ」と表示される。
【００４０】
制御部２０は、通信部２１が給湯器１（コントローラ１ａ）との間の通信処理を実行するたびに両者の間の通信状態が正常であるか否かを判定する第１判定部としての機能を有している。また、制御部２０は、有線ＬＡＮ通信部２２が管理サーバ５との間の通信処理を実行するたびに両者の間の通信状態が正常であるか否かを判定する第２判定部としての機能を有している。そして、制御部２０は、第１判定部及び第２判定部のそれぞれの判定結果を記憶している。
【００４１】
ここで、制御部２０は、通信部２１、有線ＬＡＮ通信部２２が、通信相手へ送信した要求に対して、通信相手からの応答や情報を正常なデータとして受信できた場合に通信状態が正常であると判定する。一方、通信部２１、有線ＬＡＮ通信部２２が、送信した要求に対して通信相手からの応答や情報を正常なデータとして受信できなかった場合（異常なデータを受信した場合）や、要求を送信してから所定時間経過しても通信相手からの応答がない場合には、通信状態が異常であると判定する。また、通信部２１、有線ＬＡＮ通信部２２が、通信相手から一方的に送られてくる情報を正常なデータとして受信できた場合には通信状態が正常であると判定し、正常なデータとして受信できなかった場合（異常なデータを受信した場合）には通信状態が異常であると判定する。なお、正常なデータとは、ノイズ等によってデータ値を判別できないような異常なデータではなく、データ値を正確に判別できるデータである。上記において、通信部２１の通信相手は給湯器１のコントローラ１ａであり、有線ＬＡＮ通信部２２の通信相手は管理サーバ５である。
【００４２】
また、図４の表示画面の中欄の「ＤＨＣＰ  有効」は、ルータ３のＤＨＣＰ機能によって、有線ＬＡＮ通信部２２にＩＰアドレス等の情報が割り当てられていることを示している。そうでない場合、すなわち、図３の通信設定画面において、「次のＩＰアドレスを使う」を選択してＩＰアドレス等の情報が入力されて設定された場合は、例えば、「ＤＨＣＰ  無効」と表示される。制御部２０は、ルータ３のＤＨＣＰ機能によって有線ＬＡＮ通信部２２にＩＰアドレス等の情報が割り当てられたか否かの情報（ＤＨＣＰ有効・無効情報）を記憶しており、この情報が表示されている。
【００４３】
また、図４の表示画面の下欄の四角形の枠で囲まれたＩＰアドレス等の情報は、有線ＬＡＮ通信部２２に現在設定されている情報である。
【００４４】
よって、制御部２０は、通信端末６から送信される、図４のような通信状態表示画面の表示要求（第１，第２判定部による判定結果の要求）を無線ＬＡＮ通信部２３を介して受け取ると、直近に判定して記憶した給湯器１との間の通信状態を示す情報（第１判定部による判定結果）と、直近に判定して記憶した管理サーバ５との間の通信状態を示す情報（第２判定部による判定結果）と、前述のＤＨＣＰ有効・無効情報と、有線ＬＡＮ通信部２２に設定（記憶）されているＩＰアドレス等の情報とを含む情報を、無線ＬＡＮ通信部２３を介して通信端末６へ送信する。これによって図４のような通信状態表示画面が通信端末６の表示部に表示される。本例では、通信端末６から、第１判定部による判定結果の要求と第２判定部による判定結果の要求との両方が同時に送信されるようにしているが、別々に送信されるように構成してもよい。例えば、通信端末６から第１判定部（または第２判定部）による判定結果の要求が送信され、それに応答して無線ＬＡＮ通信部２３から第１判定部（または第２判定部）による判定結果が通信端末６へ送信され、その判定結果を通信端末６の表示部に表示させるようにしてもよい。
【００４５】
例えば、中継装置２から管理サーバ５へ送信されるべき情報が管理サーバ５で受信されなかった場合において、作業員は、通信端末６に中継装置２の通信状態の情報（判定結果）が表示されることにより、通信状態の確認を行うことができる。また、その通信状態の情報を見て、故障個所等の究明が容易になる。例えば、給湯器１のコントローラ１ａから定期的に送信される運転状態情報が管理サーバ５で受信できなくなっている場合、通信端末６の通信状態表示画面に表示される通信状態が、「給湯器  ＮＧ」、「サーバ  ＯＫ」となっていれば、中継装置２と給湯器１のコントローラ１ａとの間の通信故障を推測できる。また、同場合において、通信状態が、「給湯器  ＯＫ」、「サーバ  ＯＫ」となっていれば、給湯器１のコントローラ１ａの何らかの故障を推測できる。
【００４６】
なお、本例では、図３の通信設定画面において、ＴＯＰボタンＢ２をクリックすると、図４の通信状態表示画面を表示させることができる。また、図４の通信状態表示画面において、ＮＥＸＴボタンＢ３をクリックすると、図３の通信設定画面を表示させることができる。また、ＡＰモードＯＦＦボタンＢ４をクリックすると、無線ＬＡＮ通信部２３の無線ＬＡＮアクセスポイントとしての機能を終了させることができる。なお、ＡＰスイッチ２４を再度押すことによっても、無線ＬＡＮ通信部２３の無線ＬＡＮアクセスポイントとしての機能を終了させることができる。
【００４７】
本実施形態の中継装置２では、ユーザ所有のルータ３に接続される有線ＬＡＮ通信部２２の他に、作業員が操作する作業用の通信端末６と無線通信するための無線ＬＡＮ通信部２３を備えている。そして、作業員は通信端末６を操作して、通信端末６からの無線通信によって無線ＬＡＮ通信部２３を介して有線ＬＡＮ通信部２２に、ルータ３と有線通信を行うための有線ＬＡＮの通信設定（初期設定および設定変更）を実施することができる。
【００４８】
また、作業員は通信端末６を操作して、無線ＬＡＮ通信部２３を介して、中継装置２と給湯器１、管理サーバ５との間の通信状態の判定結果の情報を通信端末６に取得し、表示させることができるので、通信状態の確認を行うことができる。
【００４９】
以上のように、中継装置２が有線接続されるルータ３に接続制限がある場合でも、通信端末６が無線ＬＡＮ通信部２３と無線通信を行うことにより、有線ＬＡＮの通信設定を実施することができるとともに、中継装置２の通信状態の確認作業を実施することができる。
【００５０】
また、上記の実施形態では、温水利用設備の一例として、給湯器１を挙げたが、給湯器１は、給湯機能だけでなく、他の機能を有していてもよい。例えば、浴槽と接続されて浴槽へ湯張りする注湯機能及び浴槽水の追い焚き機能を有していてもよい。また、温水式暖房端末と接続されて温水式暖房端末との間で温水を循環させる温水暖房機能を有していてもよい。また、温水利用設備は、給湯器に限らず、例えば、浴槽との間に循環流路が設けられて循環流路を流れる浴槽の湯水をろ過するろ過装置等でもよい。
【００５１】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００５２】
本発明は、有線接続されるルータに接続制限がある場合でも、通信端末を用いて有線ＬＡＮの通信設定等を実施することができる中継装置等として有用である。
【符号の説明】
【００５３】
１  給湯器
２  中継装置
３  ルータ
４  通信網
５  管理サーバ
６  通信端末
２０  制御部
２１  通信部
２２  有線ＬＡＮ通信部
２３  無線ＬＡＮ通信部
【図１】
2019080185.tif 000003
【図２】
2019080185.tif 000004
【図３】
2019080185.tif 000005
【図４】
2019080185.tif 000006